(57)【要約】【課題】多数の発光体が縦横マトリクス状に配置され、各発光体の点灯により文字等の情報を表示する表示装置において、前記表示情報を入力するにあたり、入力したい表示情報の文字列を全て入力することなく簡単に情報入力ができるようにする。【解決手段】各業種に関連する文字列を業種別に記憶させておき、予め設定される二文字の文字チャンネル「いざ」の入力により業種「居酒屋」を特定して表示し、次いでスクロールスイッチの操作で「酒」、「ビール」、「刺身」と関連商品をスクロールさせ、表示したい商品を確定スイッチで確定し、これを登録して表示するようにする。【選択図】        図７
2004310694.tif 000002
【特許請求の範囲】
【請求項１】
多数の発光体が縦横マトリクス状に配置され、各発光体の点灯により少なくとも文字を表示する表示部と、該表示部に表示するための表示情報を記憶する表示情報記憶部と、該表示情報記憶部に記憶された表示情報を前記表示部に表示させる制御部とを備える表示装置に入力情報を入力するための入力装置であって、
該入力装置の操作に応じて、前記表示情報を入力するにあたり、
各業種に関連する文字列を業種別に記憶する業種別辞書記憶手段と、
前記入力装置からの業種選択信号に応じて、前記業種別辞書内の該当文字列を検索し、前記表示部に表示させる文字列表示手段と、
前記入力装置からの文字列選択信号に応じて、文字列を選択する文字列選択手段と、
前記入力装置からの文字列確定信号に応じて、選択された文字列の入力を確定する文字列確定手段と
を設けたことを特徴とする表示装置の入力装置。
【請求項２】
請求項１記載の表示装置において、前記入力装置による業種選択は、業種名の部分入力操作、又は、予め設定される業種チャンネルの選択操作に基づいて行われることを特徴とする表示装置の入力装置。
【請求項３】
請求項１又は２記載の表示装置において、前記入力装置は、無線通信手段を備えるリモコンであることを特徴とする表示装置の入力装置。
【発明の詳細な説明】
【０００１】
【発明の属する技術分野】
本発明は、様々な業種の店舗などに設置され、文字や図柄による宣伝表示を行う表示装置の入力装置の技術分野に属するものである。
【０００２】
【従来技術】
今日、発光ダイオード等の光源をマトリックス状に配置し、各種の文字や図柄を表示するような表示装置が知られている。そしてこのような表示をする場合、書換え可能な記憶手段を設け、該記憶手段に記憶した表示情報（表示データ）に基づいて表示するようにしている。このような記憶手段としては、パーソナルコンピュータ等の制御装置から必要な表示情報を入力し、該入力した表示情報に基づいて表示するようにしたもの（例えば、特許文献１参照。）、あるいはメモリカードのように持ち運び自在な記憶手段に表示情報を入力し、これを表示装置にセットして必要な表示をするようにしたもの（例えば、特許文献２参照。）がある。
【０００３】
【特許文献１】
特開平９−２６７６０号公報
【特許文献２】
特開２００２−１６２９３６号公報
【０００４】
【発明が解決しようとする課題】
ところで、このような表示装置は、例えばラーメン店、居酒屋、カー用品店、喫茶店、薬局、釣具店等、様々な業種で採用され、表示情報は、これら業種に対応したものにする必要がある。そこで従来は、前記記憶手段に対し、表示装置の販売会社等がユーザーの希望を入れながらパーソナルコンピュータ等の入力装置を使用して表示したい文字等の全ての文字列の表示情報を入力するか、ユーザー自らが入力装置を使用して全ての文字列の表示情報の入力をしていた。しかしながらこのような全ての文字列の表示情報の入力は個別的なものとなって効率が悪いだけでなく、何を表示したいか迷いが生じるだけでなく、必要において表示情報を書き換えたい場合に迅速にできないという問題があり、ここに本発明が解決しようとする課題がある。
【０００５】
【課題を解決するための手段】
本発明は、上記の如き実情に鑑みこれらの課題を解決することを目的として創作されたものであって、請求項１の発明は、多数の発光体が縦横マトリクス状に配置され、各発光体の点灯により少なくとも文字を表示する表示部と、該表示部に表示するための表示情報を記憶する表示情報記憶部と、該表示情報記憶部に記憶された表示情報を前記表示部に表示させる制御部とを備える表示装置に入力情報を入力するための入力装置であって、該入力装置の操作に応じて、前記表示情報を入力するにあたり、各業種に関連する文字列を業種別に記憶する業種別辞書記憶手段と、前記入力装置からの業種選択信号に応じて、前記業種別辞書内の該当文字列を検索し、前記表示部に表示させる文字列表示手段と、前記入力装置からの文字列選択信号に応じて、文字列を選択する文字列選択手段と、前記入力装置からの文字列確定信号に応じて、選択された文字列の入力を確定する文字列確定手段とを設けたことを特徴とする表示装置の入力装置である。
そしてこのようにすることで、入力したい表示情報の文字列を全て入力することなく簡単に情報入力ができることになって操作性が向上する。
請求項２の発明は、請求項１記載記載の表示装置の入力装置において、前記入力装置による業種選択は、業種名の部分入力操作、又は、予め設定される業種チャンネルの選択操作に基づいて行われることを特徴とするものであり、このようにすることで業種選択についても簡略化される。
請求項３の発明は、請求項１又は２記載の表示装置の入力装置において、前記入力装置は、無線通信手段を備えるリモコンであることを特徴とするものである。
【０００６】
【発明の実施の形態】
次ぎに、図面の記載に基づいて本発明の実施の形態について説明する。図面において、１は発光ダイオード等の光源をマトリックス状に配設して構成したドットマトリックス型の表示装置であって、該表示装置１は、前記光源を用いて構成される表示画面２、該表示画面２に対して表示制御をする制御部３を用いて構成される。該制御部３はマイクロコンピュータ（ＣＰＵ）を用いて構成されるが、該制御部３には、文字、数字、記号、絵柄等の必要な表示情報を記憶する記憶手段４が設けられている。該記憶手段４は、一つの文字、数字、記号、絵柄等のドット情報を持つフォントメモリ５、単語や文章などの表示情報をコードの形で記憶する情報メモリ６、前記表示情報コードをフォントメモリ５で展開した表示用ドットデータを記憶する表示用メモリ７等の通常の表示装置１として必要なメモリの他に、さらに後述する辞書が登録された辞書メモリ８を備えている。そして制御部３は、情報メモリ６から表示すべきコードを取り出し、そのコードに対応するドッド情報をフォントメモリ５から読み出して表示用メモリ７に記憶させ、その記憶内容に基づいて表示画面２に表示をするようになっているが、このような表示方式は何れも従前通りのものを採用しているのでその詳細については省略する。
【０００７】
９は遠隔式の送信機であって、該送信機９は赤外線（遠または近赤外線を含む）、光波、電波、音波（超音波を含む）等の空中伝送波を無線で送信するリモートコントロール方式のもので、該送信機９には各種のスイッチが設けられるが、ここでは本実施の形態で必要となるスイッチについて説明する。つまり、文字入力スイッチ１０、０〜９の数字記号あるいは五十音を入力することができる都合１０個の入力スイッチ１１、上下左右のスクロールスイッチ１２、確定スイッチ１３を備えて構成されており、これらスイッチを操作することに基づいて対応する操作信号が出力され、これを制御部３に接続される受信手段１４で受信するようになっている。因みに、本実施の形態では無線方式によるものを採用したが、有線方式であっても勿論良いものである。
【０００８】
前記制御部３には、受信した信号の判断をする判断部１５、該判断した信号に基づいて表示内容を辞書メモリ８から引出すべく制御し、そして該引出した表示情報をコードとして情報メモリ６に格納制御する制御手段１６とを備えて構成されるが、該制御手段１６での引き出し制御は次のようになっている。
まず制御部３では、送信機９からの信号入力が有ったか否かの判断がなされ、有ったと判断された場合には後述する表示情報入力モードとなり、ないと判断された場合には情報表示モードとなって前述した表示情報を表示する。
【０００９】
まず前述した辞書メモリ８には各業種において使用頻度が高い関連ある文字列を業種別に記憶する業種別辞書記憶手段１７が設定されているが、該業種別辞書記憶手段１７としては、例えば図３に示すように「居酒屋」は１、「うどん・そば店」は２、「うなぎ屋」は３、・・・「薬局」は１０、・・・「ラーメン店」は２９、・・・のように業種毎に例えば二桁による数字でのチャンネル付け（数字チャンネル）がなされていると共に、さらに「居酒屋」については「いざ」、うどん・そば店については「うど」、「うなぎ屋」については「うな」と先頭の二文字の文字列によるチャンネル付け（文字チャンネル）がなされている。
【００１０】
そして送信機９においては電源スイッチを操作すると電源投入されると共に文字入力信号を出力し、これを入力した制御部３では文字入力モードとなってカーソルを表示すべく出力し、表示画面２にはカーソル２ａが表示される。送信機９では、この状態で文字入力スイッチ１０のスイッチ操作をする毎に、数字→文字→数字→文字・・・の出力状態に切換わり、各対応する状態で入力スイッチ１１を操作すると対応する数字信号あるいは文字信号を出力するようになっている。
一方、制御部３では、前記カーソル２ａが表示される文字入力モード状態において入力した信号が「数字」である場合、その数字を表示させるべく表示信号を出力し、そしてこれが例えば「３」であれば「３」が表示画面２に表示されると共にカーソル２ａが一桁移動表示される。この状態で送信機９から下スクロールスイッチ１２Ｄの信号入力があると、制御部３は業種別辞書記憶手段１７から「うなぎ屋」を選択してこれを表示すべく表示指令を出力し、表示画面２には「うなぎ屋」が表示される。一方、入力した信号が「文字」である場合、その文字を表示させるべく表示信号を出力し、これが例えば「い」であれば「い」を先頭に表示すると共にカーソル２ａを一桁移動表示すべく信号出力をする。次いで「ざ」の信号を制御部３が送信機９から入力すると、「ざ」の表示を「い」の隣にすべく信号出力をし、これによって表示画面２には「いざ」と表示される。次いで制御部３は、送信機９から下スクロールスイッチ１２Ｄの信号を入力すると、制御部３は業種別辞書記憶手段１７から「居酒屋」を選択して表示指令を出力し、表示画面２ｉは「居酒屋」が表示されるようになっている。因みに、業種が「自動車販売店」の場合、文字入力として「じど」の他に「カー」等の関連する文字によっても選択できるようになっている。
【００１１】
次に、前記「居酒屋」を例にしてさらに説明すると、業種「居酒屋」では、販売する商品（関連する文字列）として例えば「酒」「ビール」「刺身」「枝豆」・・・等があり、これらが業種「居酒屋」での関連がある文字列として順次業種別辞書記憶手段１７に登録されている。そして送信機９から右スクロールスイッチ１２Ｒの信号を入力する毎に、制御部３は前記「居酒屋」の表示を「酒」→「ビール」→「刺身」→「枝豆」と予め設定された文字列を歩進表示すべく表示指令を出力し、表示画面２にはこの順で表示されていく。逆に左スクロールスイッチ１２Ｌの信号入力があった場合には元に戻るべく表示出力をするように設定されている。
そして業種「居酒屋」において前記表示されている「刺身」を広告情報として表示したい場合、送信機９において確定スイッチ１３を操作すればよく、制御部３は、この確定スイッチ１３の操作信号を入力すると「刺身」の表示が確定されたとして情報メモリ６に表示情報として登録すると共に、表示画面２の先頭にカーソル２ａのみを表示すべく信号出力をする。
この状態でさらに追加表示したい場合には、再び「いざ」の文字入力をすると共に、下スクロールスイッチ１２Ｄを操作して業種「居酒屋」を選択し、次いで左右スクロールスイッチ１２Ｌ、Ｒを操作して表示してたい文字を選択し、確定スイッチ１３を操作する操作を繰り返せばよいようになっている。
そして表示したい全て文字の入力が終了した場合、前記表示画面２の先頭がカーソル２ａ表示されている状態で確定スイッチ１３を操作すればよく、この確定スイッチ１３の操作信号を入力した制御部３は、文字入力モードが終了したと判断して情報表示モードになり、前記登録された文字の表示をすることになる。
【００１２】
叙述の如く構成された本発明の実施の形態において、特定される業種において表示したい文字を入力する場合、送信機９から数字チャンネルあるいは文字チャンネルを入力して「業種」を選択した後、スクロールスイッチ１２の操作で予め設定される文字列の中から表示したい「文字列」を選択し、これを確定すればよく、このようにすることで、簡単に表示情報の入力ができる。
【００１３】
このように各業種別に各対応する業種に関連した文字列が辞書として記憶され、これを逐次スクロールして選択すればよく、従来のようにいちいち文字を入力する必要が無く、入力作業が大幅に簡略化されユーザーであっても簡単に入力することができる。
【００１４】
尚、本発明は、前記実施の形態に限定されるものでないことは勿論であって、選択された「業種」に関連する「文字列（実施の形態のように一文字の場合も含む）」を確定した場合に、表示画面２の先頭をカーソル表示するものでなく、該確定した「文字列」をそのまま継続して表示するようにし、スクロールスイッチ１２の操作で前記確定した「文字列」から逐次「文字列」の変換をするようにしても良く、さらには最初に登録される「文字列」を表示するようにしても良く、このようにしたときにおいて表示情報入力モードを終了したい場合、別途終了スイッチを設定し、該設定スイッチの操作で終了しても良く、また確定スイッチの長押しや複数押し等で終了するようにしてもよく、これらについては任意である。
また、チャンネルとしては二桁（二文字）でなく、三桁（三文字）等、登録する業種の数や種類によって任意に設定できることは言うまでもない。さらにまた、送信機側のスイッチの割り振りについても自由に設定できることはいうまでもない。さらにまた前記実施の形態において、業種「居酒屋」を例にしたときに、関連文字列の「酒」について「さけ」「サケ」「冷酒」「熱燗」等の同音異表示や同類商品等に変更したいような場合、これらを関連文字列としてそれぞれについて別途登録しておいても良いが、例えば「酒」についての関連文字列として登録しておき、これを例えば上スクロールスイッチ１２Ｕの操作でこれらのスクロールができるように設定してもよい。
またさらに、入力したい表示情報を表示装置側に入力するにあたり、送信機９自体に液晶等の表示部を備えると共に、業種別辞書記憶手段、文字列表示手段、文字列選択手段、そして文字列確定手段が設定された制御部を設けたものとし、そして送信機側で表示したい「文字列」を確定し、これを表示装置側に送信して表示情報記憶部に入力して記憶するようにしても実行することができる。この場合に、表示装置側への確定した表示情報の送信は、別途設定した送信スイッチの操作で送信するようにしても良いが、終了スイッチの操作に連動して信号送信するようにしても良い。
さらにまた、本発明は入力用のキーボード、表示確認をするためのディスプレイを備えたパーソナルコンピュータによっても実行することができる。つまりパーソナルコンピュータの制御部には、前記業種別辞書記憶手段、文字列表示手段、文字列選択手段、そして文字列確定手段が設定されたソフトウエアが登録されたものとし、キーボードで必要な情報を入力して「業種」の確定、表示したい「文字列」の確定をし、その表示確認をした状態でこれをフレキシブルディスク等の記憶媒体に入力し、これを表示装置側に入力して登録するように設定しても実行することができる。
【図面の簡単な説明】
【図１】表示装置の概略図である。
【図２】制御部のブロック回路図である。
【図３】送信機の正面図である。
【図４】業種とチャンネルとの関係を示した表図である。
【図５】業種と関連文字列とを示した表図である。
【図６】数字入力をして業種を選択する場合の流れを示す説明図である。
【図７】文字入力をして業種選択、文字列選択をする場合の流れを示す説明図である。
【符号の説明】
１    表示装置
２    表示画面
３    制御部
４    記憶手段
８    辞書メモリ
９    送信機
１０〜１３  スイッチ
１７    業種別辞書記憶手段
【図１】
2004310694.tif 000003
【図２】
2004310694.tif 000004
【図３】
2004310694.tif 000005
【図４】
2004310694.tif 000006
【図５】
2004310694.tif 000007
【図６】
2004310694.tif 000008
【図７】
2004310694.tif 000009